(57)【要約】【課題】母音及び子音を簡単な操作で音声合成装置に入力できるようにした入力装置を提供する。【解決手段】入力装置１０は、歌唱合成制御装置２０で合成する歌唱音声の歌詞の母音の一方を、操作子に対する操作に応じて指定する（Ｓ１１，Ｓ１２）。また、入力装置１０は、子音の他方を、入力装置１０の動きに応じて指定する（Ｓ１３，Ｓ１４）。入力装置１０は、母音及び子音を、歌唱合成制御装置２０へ送信する（Ｓ１５）。歌唱合成制御装置２０は、入力装置１０から受信した母音及び子音と、自装置の操作子に対する操作に応じて決定した音高とを有する合成音声を生成し、出力する（Ｓ２１〜Ｓ２６）。【選択図】図５
2018156417.tif 000002
【特許請求の範囲】
【請求項１】
歌唱合成制御装置で合成する歌唱音声の歌詞の母音及び子音の一方を操作子に対する操作に応じて指定する第１指定部と、
前記母音及び子音の他方を、自装置の動きに応じて指定する第２指定部と、
前記指定された母音及び子音を、歌唱合成制御装置へ送信する送信部と
を有する入力装置。
【請求項２】
使用状態においてユーザーの指と接触する接触面を有する被把持部を有し、
前記操作子は、前記被把持部における前記接触面に設けられる
請求項１に記載の入力装置。
【請求項３】
前記第２指定部は、前記入力装置を動かす方向に応じて前記母音及び子音の他方を指定する
請求項１又は２に記載の入力装置。
【請求項４】
請求項１ないし３のいずれか一項に記載の入力装置と、
歌唱合成制御装置と
を備え、
前記歌唱合成制御装置は、
前記入力装置から前記指定された母音及び子音を受信する受信部と、
１以上の操作子と、
前記１以上の操作子に対する操作を検出する操作検出部と、
前記操作検出部により前記操作が検出された前記操作子に応じて音高を決定する決定部と
前記受信部により受信された前記母音及び子音と、前記決定部により決定された音高とを有する合成音声を生成する音声合成部と
を有する音声合成装置。
【発明の詳細な説明】
【技術分野】
【０００１】
本発明は、ユーザーの操作に応じてリアルタイムで歌唱音声を合成する技術に関する。
【背景技術】
【０００２】
ユーザーによる演奏及び歌詞の入力に応じて、リアルタイムで歌唱音声を合成及び再生する技術が知られている。例えば、非特許文献１には、母音を入力するためのキー及び演奏を入力するためのキーを有する歌唱音声合成装置が記載されている。
【先行技術文献】
【非特許文献】
【０００３】
【非特許文献１】“歌うキーボード  ポケットミク”、［online］、平成２６年４月３日、［２０１７年３月６日検索］、インターネット＜URL：http://otonanokagaku.net/nsx39/＞
【発明の開示】
【発明が解決しようとする課題】
【０００４】
非特許文献１に記載の技術においては、入力できる歌詞が母音のみであり、合成される歌唱音声が単調であるという問題があった。
これに対し本発明は、母音及び子音を簡単な操作で音声合成装置に入力できるようにした入力装置を提供することを目的とする。
【課題を解決するための手段】
【０００５】
本発明は、歌唱合成制御装置で合成する歌唱音声の歌詞の母音及び子音の一方を操作子に対する操作に応じて指定する第１指定部と、前記母音及び子音の他方を、自装置の動きに応じて指定する第２指定部と、前記指定された母音及び子音を、歌唱合成制御装置へ送信する送信部とを有する入力装置を提供する。
【０００６】
この入力装置は、使用状態においてユーザーの指と接触する接触面を有する被把持部を有し、前記操作子は、前記被把持部における前記接触面に設けられてもよい。
【０００７】
前記第２指定部は、前記入力装置を動かす方向に応じて前記母音及び子音の他方を指定してもよい。
【０００８】
上記いずれかの構成の入力装置と、歌唱合成制御装置とを備え、前記歌唱合成制御装置は、前記入力装置から前記指定された母音及び子音を受信する受信部と、１以上の操作子と、前記１以上の操作子に対する操作を検出する操作検出部と、前記操作検出部により前記操作が検出された前記操作子に応じて音高を決定する決定部と前記受信部により受信された前記母音及び子音と、前記決定部により決定された音高とを有する合成音声を生成する音声合成部とを有する音声合成装置を提供する。
【発明の効果】
【０００９】
本発明によれば、母音及び子音を簡単な操作で音声合成装置に入力できるようにした入力装置を提供することができる。
【図面の簡単な説明】
【００１０】
【図１】本発明の一実施形態に係る音声合成装置の概略構成を例示する図。
【図２】被把持部１１の構成を例示する図。
【図３】入力装置１０の動きと指定される子音との関係を例示する図。
【図４】入力装置１０及び歌唱合成制御装置２０の機能構成を例示する図。
【図５】入力装置１０及び歌唱合成制御装置２０の動作を示すフローチャート。
【図６】変形例に係る被把持部１１の構造を例示する図。
【図７】変形例に係る被把持部１１の動きと指定される子音との関係を例示する図。
【図８】別の変形例に係る被把持部１１の構造を例示する図。
【図９】別の変形例に係る被把持部１１の動きと指定される子音との関係を示す図。
【図１０】変形例に係る入力装置及び歌唱合成制御装置の動作を示すフローチャート。
【発明を実施するための形態】
【００１１】
１．構成
図１は、本発明の一実施形態に係る音声合成装置１の概略構成を例示する図である。音声合成装置１は、リアルタイムで歌唱音声を合成する装置である。音声合成装置１は、入力装置１０と、歌唱合成制御装置２０とを含む。歌唱音声の合成には、少なくとも、歌詞及び音高の情報が必要である。この例において、歌詞は入力装置１０において入力され、音高は歌唱合成制御装置２０において入力される。入力装置１０において入力された歌詞を伝達するため、入力装置１０と歌唱合成制御装置２０とは、情報を送受信するためのケーブル３０を用いて、接続されている。ただし、入力装置１０と歌唱合成制御装置２０とは、有線ではなく、無線で接続されてもよい。
【００１２】
歌唱合成制御装置２０は、歌唱合成を行う装置である。この例において、歌唱合成制御装置２０は、電子ピアノで例示される鍵盤楽器を模した外観を有する。歌唱合成制御装置２０は、前面に操作部２１を備える。操作部２１は、鍵を模した複数の操作子２１１を有する。歌唱合成制御装置２０は、入力装置１０から入力された歌詞と、いずれかの操作子２１１を押す操作に応じて決定した音高とに基づいて、歌唱音声の合成を制御する。
【００１３】
入力装置１０は、歌詞を入力するための装置である。歌詞は母音及び子音の組み合わせにより構成される。入力装置１０は、棒状の形状を有する。入力装置１０は、被把持部１１と、発光部１２とを含む。被把持部１１は、ユーザーによって把持される部位である。発光部１２は、発光する部位である。このように入力装置１０は、ケミカルライトで例示される照明器具としても機能する。発光部１２及びその制御には公知の技術が用いられる。
【００１４】
図２は、被把持部１１の構成を例示する図である。被把持部１１は、使用状態においてユーザーの指と接触する接触面１１Ａを有する。接触面１１Ａには、複数のスイッチ１１１〜１１６が設けられている。接触面１１Ａに設けられるスイッチは、例えばモーメンタリ型のプッシュ式スイッチである。このスイッチによれば、これらのスイッチを押している間はオンが入力され、スイッチが押されていない間はオフが入力される。スイッチは、オン／オフの入力が可能であれば、プッシュ式でなくてもよい。
【００１５】
この実施形態では、歌詞を構成する母音及び子音のうちの母音については、スイッチ１１１〜１１４の操作によって指定される。例えば、スイッチ１１１のみが押されている間は、［ａ］（あ）が指定される。スイッチ１１２のみが押されている間は、［ｉ］（い）が指定される。スイッチ１１３のみが押されている間は、［ｕ］（う）が指定される。スイッチ１１１及び１１２のみが押されている間は、［ｅ］（え）が指定される。スイッチ１１１及び１１３のみが押されている間は、［ｏ］（お）が指定される。
【００１６】
スイッチ１１４が押されている間は、拗音（半母音）の使用が指定される。例えば［ｋａ］（か）の拗音は［ｋｊａ］（きゃ）である。このため、スイッチ１１４が押されて間は、拗音を表現するために、母音［ａ］の直前に半母音［ｊ］を挿入することが指定される。
【００１７】
歌詞の母音及び子音のうちの子音については、スイッチ１１５及び１１６の操作、並びに入力装置１０の動きによって指定される。この例において、入力装置１０の「動き」は、入力装置１０が振られることによる入力装置１０の位置の変化（つまり移動）である。
【００１８】
また、この実施形態では、入力装置１０の動きによって清音が指定され、濁音の使用の有無はスイッチ１１５の操作、半濁音の使用の有無はスイッチ１１６の操作によって指定される。例えば、子音として［ｋ］（か行）が指定され、且つ濁音の使用が指定された場合、［ｇ］（が行）が指定される。また、子音として［ｈ］（は行）が指定され、且つ半濁音の使用が指定された場合、［ｐ］（ぱ行）が指定される。
【００１９】
図３は、入力装置１０の動きと、指定される子音との関係を例示する図である。ここで、入力装置１０の下から上に延びる中心軸を「Ｌ」と規定する。入力装置１０が、中心軸Ｌの軸方向に振られている間は、［ｋ］が、その反対方向に振られている間は、［ｈ］が指定される。入力装置１０が、中心軸Ｌに対して時計回りに４５度回転した方向に振られている間は、［ｓ］（さ行）が、その反対方向に振られている間は、［ｍ］（ま行）が指定される。入力装置１０が、中心軸Ｌに対して時計回りに９０度回転した方向に振られている間は、［ｔ］（た行）が、その反対方向に振られている間は、［ｙ］（や行）が指定される。入力装置１０が、中心軸Ｌに対して時計回りに１３５度回転した方向に振られている間は、［ｎ］（な行）が、その反対方向に振られている間は、［ｒ］（ら行）が指定される。入力装置１０がいずれの方向にも振られていない場合は、［ａ］（あ行）が指定される。図３に示す矢印で示した方向以外に入力装置１０が振られた場合は、最も近い方向に対応する子音が指定される。
【００２０】
なお入力装置１０の動きと、指定される子音との関係は図３の例に限定されない。図３の例では、入力装置１０を地面に垂直に立てて用いた場合、地面にほぼ垂直な面における入力装置１０の動きに応じて子音が定義される。しかし、図３の例における中心軸Ｌを、入力装置１０において横（具体的には、例えば被把持部１１においてスイッチが設けられた面に垂直な方向）に設定してもよい。この例によれば、地面にほぼ水平な面における入力装置１０の動きに応じて子音が定義される。
【００２１】
なお、［わ］、［を］、［ん］の各音は、例えば、スイッチ１１５をオンし、且つ入力装置１０を動かさないことによって指定される。また、［ゃ］、［ゅ］［ょ］という小書き文字を表現する場合は、これを指定するためのスイッチが別に設けられてもよい。
【００２２】
図４は、入力装置１０及び歌唱合成制御装置２０の機能構成を例示する図である。入力装置１０は、操作検出部１０１、第１指定部１０２、動き検出部１０３、第２指定部１０４及び送信部１０５を含む。操作検出部１０１は、スイッチ１１１〜１１６の各スイッチから入力される信号に基づいて、スイッチ１１１〜１１６の操作の状態を検出する。第１指定部１０２は、歌詞の母音及び子音のうちの母音を、操作検出部１０１により検出されたスイッチ１１１〜１１４の操作の状態に応じて指定する。動き検出部１０３は、入力装置１０の動きを検出する。この実施形態では、動き検出部１０３は、図示せぬセンサからの情報に基づいて、少なくとも入力装置１０の動かされた方向（振られた方向）を検出する。センサは、例えば、２軸又は３軸の加速度センサを含む。動き検出部１０３は、例えば、加速度センサによって計測された加速度、加速度から求められた速度、及び変位の大きさに基づいて、入力装置１０の動きを検出する。動き検出部１０３は、加速度センサ以外のセンサを用いて、入力装置１０の動きを検出してもよい。第２指定部１０４は、歌詞の母音及び子音のうちの子音を、動き検出部１０３により検出された入力装置１０の動き、並びに操作検出部１０１により検出されたスイッチ１１５及び１１６の操作の状態に応じて指定する。送信部１０５は、第１指定部１０２により指定された母音及び第２指定部１０４により指定された子音を、歌唱合成制御装置２０へ送信する。
【００２３】
なお、入力装置１０の各機能は、ＣＰＵ（Central Processing Unit）で例示される演算処理装置、ＲＯＭ（Read only memory）及びＲＡＭ（Random access memory）で例示されるメモリ、並びに通信モジュール等を搭載したプロセッサにより実装される。入力装置１０の各機能は、例えば、プロセッサ及びプロセッサが実行するプログラムにより実装される。また、入力装置１０の機能は２以上のプロセッサ又はプログラムにより実装されてもよい。
【００２４】
歌唱合成制御装置２０は、受信部２０１、操作検出部２０２、決定部２０３、合成指示部２０４、音声合成部２０５及び音声出力部２０６を含む。受信部２０１は、入力装置１０（送信部１０５）から、歌詞の母音及び子音を受信する。操作検出部２０２は、操作部２１の各操作子２１１から入力される信号に基づいて、
各操作子２１１の操作の状態を検出する。決定部２０３は、操作検出部２０２の検出結果に基づいて、ユーザーにより押された操作子２１１に応じた音高を決定する。合成指示部２０４は、受信部２０１により受信された子音及び母音、並びに決定部２０３により決定された音高に基づいて、歌唱音声を合成するように、音声合成部２０５に指示する。音声合成部２０５は、合成指示部２０４からの合成指示に従って歌唱音声を合成して、歌唱音声（合成音声）を生成する。音声合成部２０５は、合成された歌唱音声を示す音信号を、音声出力部２０６に出力する。音声出力部２０６は、音声合成部２０５から出力された音信号に従って音を出力する。
【００２５】
なお、受信部２０１、操作検出部２０２、決定部２０３、合成指示部２０４及び音声合成部２０５の各機能は、ＣＰＵで例示される演算処理装置、ＲＯＭ及びＲＡＭで例示されるメモリ、並びに通信モジュール等を搭載したプロセッサにより実装される。歌唱合成制御装置２０の各機能は、例えば、プロセッサ及びプロセッサが実行するプログラムにより実装される。また、歌唱合成制御装置２０の機能は２以上のプロセッサ又はプログラムにより実装されてもよい。音声出力部２０６は、例えば、信号処理回路、増幅器及びスピーカを含む。
【００２６】
２．動作
図５は、入力装置１０及び歌唱合成制御装置２０の動作を示すフローチャートである。図５のフローは、例えば、入力装置１０及び歌唱合成制御装置２０の電源がオンされている期間において実行される。
【００２７】
入力装置１０において、第１指定部１０２は、操作検出部１０１の検出結果に基づいて、スイッチ１１１〜１１３の少なくともいずれかが押されたか否かを判断する（ステップＳ１１）。いずれのスイッチも押されていないと判断した場合（ステップＳ１１；ＮＯ）、第１指定部１０２は、待機する。スイッチ１１１〜１１３の少なくともいずれかが押されたと判断した場合（ステップＳ１１；ＹＥＳ）、第１指定部１０２は、母音を指定する（ステップＳ１２）。第１指定部１０２は、スイッチ１１１〜１１３の操作状態に応じて、［ａ］、［ｉ］、［ｕ］、［ｅ］、［ｏ］のうちのいずれかの母音を指定し、また、スイッチ１１４の操作状態に応じて拗音を表現するための半母音を指定する。
【００２８】
次に、動き検出部１０３は、入力装置１０の動きを検出する（ステップＳ１３）。第２指定部１０４は、動き検出部１０３により検出された入力装置１０の動かされた方向、並びに操作検出部１０１により検出されたスイッチ１１５及びスイッチ１１６の操作状態に応じて、子音を指定する（ステップＳ１４）。第２指定部１０４は、［ａ］、［ｋ］、［ｓ］、［ｔ］、［ｎ］、［ｈ］、［ｍ］、［ｇ］、［ｚ］（ざ行）、［ｄ］（だ行）、［ｂ］（ば行）及び［ｐ］（ぱ行）のうちの、いずれかの子音を指定する。
【００２９】
次に、送信部１０５は、指定された母音及び子音を、歌唱合成制御装置２０へ送信する（ステップＳ１５）。この送信後、入力装置１０の処理はステップＳ１１に戻される。即ち、スイッチ１１１〜１１３の少なくともいずれかが押されている間は、送信部１０５は、母音及び子音を歌唱合成制御装置２０へ送信する。
【００３０】
歌唱合成制御装置２０において受信部２０１は、入力装置１０から、母音及び子音を受信したか否かを判断する（ステップＳ２１）。母音及び子音を受信していないと判断した場合（ステップＳ２１；ＮＯ）、受信部２０１は待機する。母音及び子音が受信されたと判断した場合（ステップＳ２１；ＹＥＳ）、決定部２０３は、操作検出部２０２の検出結果に基づいて、少なくともいずれかの操作子２１１が押されたか否かを判断する（ステップＳ２２）。いずれの操作子２１１も押されていないと判断した場合（ステップＳ２１；ＮＯ）、歌唱合成制御装置２０の処理は、ステップＳ２１に戻される。
【００３１】
決定部２０３は、少なくともいずれかの操作子２１１が押されたと判断した場合（ステップＳ２２；ＹＥＳ）、押された操作子２１１に応じた音高を決定する（ステップＳ２３）。決定部２０３は、この操作子２１１に固有の音高を決定する。操作子２１１は鍵を模した操作子である。よって、より高い音高に対応する鍵に相当する操作子２１１が押された場合ほど、決定部２０３はより高い音高を決定するとよい。
【００３２】
合成指示部２０４は、受信された子音及び母音、並びに決定された音高に基づいて、歌唱音声を合成するように、音声合成部２０５に指示する（ステップＳ２４）。具体的には、合成指示部２０４は、子音及び母音に従い決定された歌詞を発音記号に変換して、この発音記号及び決定した音高の音声を合成する指示を生成し、音声合成部２０５に出力する。音声合成部２０５は、入力された合成指示に従って歌唱音声を合成する（ステップＳ２５）。歌唱音声の合成には公知の技術を用いることができるので、ここではその概要だけ説明する。音声合成部２０５は、素片ライブラリを有している。素片ライブラリは、ある特定の歌唱者の声からサンプリングした音楽素片（歌声の断片）を含むデータベースである。素片ライブラリには、その歌唱者の歌唱音声波形から採取された素片データが複数含まれている。素片データとは、歌唱音声波形から、音声学的な特徴部分を切り出して符号化した音声データをいう。
【００３３】
ここで、素片データについて、［さいた］という歌詞の歌唱音声を合成する場合を例として説明する。［さいた］という歌詞は発音記号で［ｓａｉｔａ］と表される。発音記号［ｓａｉｔａ］で表される音声の波形を特徴により分析すると、［ｓ］の音の立ち上がり部分、［ｓ］の音、［ｓ］の音から［ａ］の音への遷移部分、［ａ］の音…と続き、［ａ］の音の減衰部分で終わる。各素片データは、これらの音声学的な特徴部分に対応する音声データである。素変ライブラリには、あらゆる音及び音の組み合わせに関する素片データが格納されている。以下の説明において、ある発音記号で表される音の立ち上がり部分に対応する素片データを、その発音記号の前に［＃］を付けて、［＃ｓ］のように表す。また、ある発音記号で表される音の減衰部分に対応する素片データを、その発音記号の後に［＃］を付けて、［ａ＃］のように表す。また、ある発音記号で表される音から他の発音記号で表される音への遷移部分に対応する素片データを、それらの発音記号の間に［−］を入れて、［ｓ−ａ］のように表す。
【００３４】
例えば、［ぱ］という音声は、［＃ｐ］、［ｐ］、［ｐ−ａ］及び［ａ］という素片データを順番に並べて繋げることにより合成される。音声合成部２０５は、これらの素片データを組み合わせた後、音高を調整する。音声合成部２０５は、音高を調整した合成音声の音信号を出力する。音声出力部２０６は、音声合成部２０５から出力された音信号に従って合成音声を出力する（ステップＳ２６）。
【００３５】
次に、合成指示部２０４は、入力装置１０から受信される母音又は子音が変化したか否かを判断する（ステップＳ２７）。具体的には、合成指示部２０４は、母音及び子音の少なくとも一方が変化したか、並びに母音及び子音が受信されなくなったかを判断する。母音及び子音に変化がないと判断した場合（ステップＳ２７；ＮＯ）、合成指示部２０４は音高の変更があるか否かを判断する（ステップＳ２８）。具体的には、合成指示部２０４は、操作子２１１が押されなくなった（操作子２１１から指が離された）か、及び別の操作子２１１が押されたかを判断する。音高に変更がないと判断された場合は（ステップＳ２８；ＮＯ）、合成指示部２０４は、新たな歌唱音声の合成を指示しない。具体的に葉、歌唱合成制御装置２０の処理はステップＳ２５に処理が戻され、音声合成部２０５は、音声出力部２０６を用いて、同じ歌詞（文字）の合成音声を出力し続ける（ステップＳ２５，Ｓ２６）。音声合成部２０５は、最後の母音（先の例では［ａ］）を伸ばし続ける音信号を出力する。
【００３６】
一方、合成指示部２０４が入力装置１０から受信される母音又は子音が変化したと判断された場合（ステップＳ２７；ＹＥＳ）、又は音高が変更されたと判断した場合（ステップＳ２８；ＹＥＳ）には、歌唱合成制御装置２０の処理は、ステップＳ２１に戻される。
そして、入力装置１０から母音及び子音が受信され（ステップＳ２１；ＹＥＳ）、更に操作子２１１の操作で音高が指定された場合には（ステップＳ２２；ＹＥＳ）、合成指示部２０４は、新たな歌唱音声の合成を音声合成部２０５に指示し、歌唱音声の合成、及び合成音声の出力を行わせる（ステップＳ２３〜Ｓ２６）。
【００３７】
以上説明した音声合成装置１によれば、ユーザーは片方の手で入力装置１０を持ち、スイッチを押す操作と入力装置１０を動かす動作とによって、歌詞の母音及び子音を指定することができる。更に、ユーザーは他方の手で歌唱合成制御装置２０を操作することによって、歌詞の音高を指定することができる。よって、ユーザーは、歌詞の母音、子音及び音高を簡単に指定して、歌唱合成制御装置２０に合成音声を出力させることができる。
【００３８】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００３９】
３−１．被把持部１１
図６は、変形例に係る被把持部１１の構造を例示する図であり、図７は、被把持部１１の動きと指定される子音との関係を例示する図である。被把持部１１の接触面１１Ａに設けられるスイッチの種類及び数は、図２の例に限定されない。この変形例では、図６に示すように、接触面１１Ａにおいて、濁音を指定するスイッチ１１５及び半濁音を指定する１１６が設けられておらず、代わりに、モードを切り替えるスイッチ１１７が設けられている。第１指定部１０２は、スイッチ１１７がオフされている間は、図７の左側の図に示すように、子音として［ａ］、［ｋ］、［ｓ］、［ｔ］、［ｎ］、［ｈ］、［ｍ］、［ｙ］、［ｒ］を指定可能とする。一方、第１指定部１０２は、スイッチ１１７がオンされている間は、図７の右側の図に示すように、子音として［ｙ］、［ｗ］、［ｇ］、［ｚ］、［ｄ］、［ｂ］、［ｐ］を指定可能とする。
【００４０】
図８は、別の変形例に係る被把持部１１の構造を例示する図であり、図９は、被把持部１１の動きと指定される子音との関係を例示する図である。入力装置１０は、接触面１１Ａに設けられたスイッチの操作に応じて子音を、入力装置１０の動きに応じて母音を指定してもよい。この例では図８に示すように、接触面１１Ａに、子音を指定するためのスイッチとして、スイッチ１１１〜１１４及び１１８が設けられている。この場合、４つのスイッチ１１１〜１１３及び１１８のオン／オフの組み合わせにより、清音、濁音及び半濁音を含む計１６個の子音を指定することができる。スイッチ１１４は、上述した実施形態と同様、拗音の使用の有無を指定するためのスイッチである。図９に示すように、この変形例では、第１指定部１０２及び第２指定部１０４に代えて、第１指定部１０６及び第２指定部１０７が設けられている。第１指定部１０６は、歌詞の母音及び子音のうちの子音を、操作検出部１０１により検出されたスイッチ１１１〜１１３及び１１８の操作の状態に応じて指定する。第２指定部１０７は、歌唱音声の歌詞の母音及び子音のうちの母音を、スイッチ１１４の操作の状態及び動き検出部１０３により検出された入力装置１０の動きに応じて指定する。送信部１０５は、第１指定部１０６により指定された子音及び第２指定部１０７により指定された母音を、歌唱合成制御装置２０へ送信する。歌唱合成制御装置２０の構成は、上述した実施形態と同じでよい。
【００４１】
図１０は、この変形例に係る入力装置１０及び歌唱合成制御装置２０の動作を示すフローチャートである。図１０のフローは、例えば、入力装置１０及び歌唱合成制御装置２０の電源がオンされている間において、実行される。入力装置１０において、第１指定部１０６は、操作検出部１０１の検出結果に基づいて、スイッチ１１１〜１１３及び１１８の少なくともいずれかが押されたか否かを判断する（ステップＳ３１）。いずれのスイッチも押されていないと判断した場合（ステップＳ３１；ＮＯ）、第１指定部１０６は、待機する。スイッチ１１１〜１１３及び１１８の少なくともいずれかが押されたと判断した場合（ステップＳ３１；ＹＥＳ）、第１指定部１０６は、子音を指定する（ステップＳ３２）。
【００４２】
次に、動き検出部１０３は、入力装置１０の動きを検出する（ステップＳ３３）。第２指定部１０７は、動き検出部１０３により検出された入力装置１０の動かされた方向に応じて、母音を指定する（ステップＳ３４）。
【００４３】
次に、送信部１０５は、指定された子音及び母音を、歌唱合成制御装置２０へ送信する（ステップＳ３５）。この送信後、入力装置１０の処理はステップＳ３１に戻される。即ち、スイッチ１１１〜１１３及び１１８の少なくともいずれかが押されている間は、送信部１０５は、子音及び母音を歌唱合成制御装置２０へ送信する。
【００４４】
３−２．入力装置１０の動きと子音との関係
上述した実施形態で説明した入力装置１０の動きの方向と指定される子音との関係は、一例に過ぎない。例えば３軸の直交座標系を規定して、軸方向毎に異なる子音を対応させてもよい。また、入力装置１０の動きは、入力装置１０の振動に限られず、入力装置１０の姿勢の変化（回転、ひねり）等であってもよい。入力装置１０は、その動きに応じた子音又は母音が指定するように構成されていればよい。
【００４５】
３−３．他の変形例
入力装置１０の具体的形状は、実施形態において例示したものに限定されない。例えば、入力装置１０は、交通整理のための誘導灯等の、棒状に形成された装置であってもよい。また、入力装置１０は、照明機能を有さなくてもよく、例えば、杖又は指揮棒であってもよい。また、入力装置１０の形状は棒状であるものに限られず、例えば、ダンベル、又はユーザーの身体の部位に装着される装置（例えば、グローブ型の装置）等の、棒状でない装置であってもよい。また、入力装置１０は、携帯型のデバイス（例えば、スマートフォン）であってもよい。この場合、入力装置１０は、タッチスクリーンの表面をなぞるユーザーの指の動きを検出し、その動きに応じた母音又は子音を指定してもよい。この場合、タッチスクリーン上で指が移動した方向と、母音又は子音とが対応付けられていればよい。
【００４６】
入力装置１０は、母音又は子音の指定に用いられるスイッチが押されている期間においてのみ、入力装置１０の動きを検出してもよい。これにより、常に入力装置１０の動きを検知する場合に比べて、入力装置１０消費電力の低減が期待できる。
【００４７】
入力装置において母音又は子音の指定に用いられる操作子は、モーメンタリ型のスイッチに限定されない。モーメンタリ型のスイッチに代えて、又は加えて、オルタネイト型のスイッチが用いられてもよい。あるいは、スイッチに代えて、又は加えて、レバー、スライダー、又はダイヤル等が用いられてもよい。
【００４８】
歌唱合成制御装置２０は、電子鍵盤楽器を模した外観を有していなくてもよく、弦楽器や、管楽器、吹奏楽器等の楽器を模した外観を有していてもよいし、楽器を模した外観でなくてもよい。歌唱合成制御装置２０は、少なくとも歌唱音声の合成を制御する機能を有していればよい。操作部２１に含まれる操作子の数も、１以上の数であれば、いくつでもよい。
【００４９】
上述した実施形態で説明した入力装置１０及び歌唱合成制御装置２０の構成又は動作の一部が省略されてもよい。例えば、入力装置１０が、拗音、濁音及び半濁音の少なくともいずれかを指定しない構成であってもよい。
【符号の説明】
【００５０】
１…音声合成装置、１０…入力装置、１０１…操作検出部、１０２…第１指定部、１０３…動き検出部、１０４…第２指定部、１０５…送信部、１０６…第１指定部、１０７…第２指定部、１１…被把持部、１１Ａ…接触面、１１１〜１１８…スイッチ、１２…発光部、２０…歌唱合成制御装置、２０１…受信部、２０２…操作検出部、２０３…決定部、２０４…合成指示部、２０５…音声合成部、２０６…音声出力部、２１…操作部、２１１…操作子、３０…ケーブル。
【図１】
2018156417.tif 000003
【図２】
2018156417.tif 000004
【図３】
2018156417.tif 000005
【図４】
2018156417.tif 000006
【図５】
2018156417.tif 000007
【図６】
2018156417.tif 000008
【図７】
2018156417.tif 000009
【図８】
2018156417.tif 000010
【図９】
2018156417.tif 000011
【図１０】
2018156417.tif 000012